(57)【要約】【課題】  通常の蝋燭と変わらない太陽電池を備えた灯明装置を提供する。【解決手段】  灯明を象って形成された本体１２と、この本体１２の一部に設けられた発光部１１と、本体１２を立設するための立設部１８と、本体１２の外周囲に設けられた太陽電池２と、本体１２の内部に収容され太陽電池２から供給された電力を貯える蓄電部１３と、発光部１１を点灯させるためのスイッチ１４とを有する。本体１２を設置する設置部に太陽電池２に向けて光源の光を反射する反射部３３を形成してもよい。【選択図】  図１
2017080340.tif 000002
【特許請求の範囲】
【請求項１】
灯明を象って形成された本体と、
この本体の一部に設けられた発光部と、
前記本体を立設するための立設部と、
前記本体の外周囲に設けられた太陽電池と、
前記本体の内部に収容され前記太陽電池から供給された電力を貯える蓄電部と、
前記発光部を点灯させるためのスイッチと、
を有することを特徴とする灯明装置。
【請求項２】
前記太陽電池は前記本体の外周の全周に亘って設けられ、本体を設置する設置部に前記太陽電池に向けて光源の光を反射する反射部を形成したことを特徴とする請求項１に記載の灯明装置。
【請求項３】
前記設置部に前記本体を立てるためのピン又はピン孔を形成し、前記本体に前記ピンが挿入されるピン孔又は前記ピン孔に挿入されるピンを設けたことを特徴とする請求項１又は２に記載の灯明装置。
【請求項４】
前記ピンを前記本体に着脱可能に取り付けたことを特徴とする請求項３に記載の灯明装置。
【請求項５】
前記灯明が蝋燭で、蝋燭形状に形成された前記本体の一端に前記発光部を設けたことを特徴とする請求項１〜４のいずれか記載の灯明装置。
【請求項６】
前記蓄電池を乾電池と交換可能としたことを特徴とする請求項１〜５のいずれか記載の灯明装置。
【発明の詳細な説明】
【技術分野】
【０００１】
本発明は、神社や仏閣及び神前や墓前あるいは仏壇等に用いて好適な灯明装置に関する。
【背景技術】
【０００２】
神社や仏閣及び神前や墓前あるいは仏壇等（以下、墓前等と記載する）に使用する蝋燭の中には、マッチやガスによる点灯を無くし、安全かつ風の強い日でも点灯できるように、電池によって電灯やＬＥＤ等を点灯させる灯明装置が知られている。そして、このような灯明装置の中には、太陽電池とバッテリとを組み合わせて電池の交換を不要としたものも提案されている（特許文献１〜３参照）。
【先行技術文献】
【特許文献】
【０００３】
【特許文献１】特開２００５−３２３８６６号公報
【特許文献２】特開平９−１７３２０５号公報
【特許文献３】実用新案登録第３０８２５４４号公報
【発明の開示】
【発明が解決しようとする課題】
【０００４】
しかし、これら文献に記載の灯明装置は、起電に必要な一定面積の太陽電池の取り付けスペースを確保するために、灯明装置の本体とは別に太陽電池の設置スペースを確保するための台座が必要となり、灯明装置が大型化して、持ち運びが困難になり、既存の墓前等への設置も困難になるという問題がある。灯籠や仏壇などにおいては、大型になって設置が不可能となることもある。また、台座を設けることで通常の蝋燭とは異なる外観となってしまうことから、蝋燭の代替とはなりえず、かつ、蝋燭と同じような雰囲気を得ることは困難であるという問題がある。
本発明は上記の問題点を解決するためになされたもので、通常の蝋燭と変わらない太陽電池を備えた灯明装置の提供を目的とする。
【課題を解決するための手段】
【０００５】
蝋燭等の灯明は、その性質上長時間点灯させるものではなく、かつ、ＬＥＤランプのような低消費電力の発光体も普及している。そのため、非点灯時を利用して太陽電池でバッテリに充電を行うようにすれば、太陽電池の設置スペースも小さくてすむ。
具体的に本発明は、灯明を象って形成された本体と、この本体の一部に設けられた発光部と、前記本体を立設するための立設部と、前記本体の外周囲に設けられた太陽電池と、前記本体の内部に収容され前記太陽電池から供給された電力を貯える蓄電部と、前記発光部を点灯させるためのスイッチとを有する構成としてある。
この構成によれば、灯明装置の本体の外周囲に太陽電池を設けており、太陽電池を別体とする必要が無くなる、本体を目的や場所に応じて使用される蝋燭の形に象ることができ、通常の蝋燭と変わらない形の灯明装置を得ることができる。
【０００６】
また、筒状の本体の周囲に太陽電池を設けることで、太陽のように時間の経過とともに光源が移動する場合でも、常に一定の起電力を得ることができるという利点がある。さらに、本体をどのように設置しても起電力は変わらないという利点がある。
本発明においては上記のような利点がある一方で、光源側に面している表側と影になる裏側とでは起電力に大きな差が生じるという問題がある。そこで、前記太陽電池が前記本体の外周の全周に亘って設けられている場合に、前記本体を設置する設置部に前記太陽電池に向けて光源の光を反射する反射部を形成するとよい。このようにすることで、前記裏側に照射される光源の光を大幅に増量することが可能になる。
【０００７】
本発明においては墓前等における蝋燭と同じように、蝋燭等の灯明装置を設置する設置部に前記本体を立てるためのピン又はピン孔を形成し、前記本体に前記ピンが挿入されるピン孔又は前記ピン孔に挿入されるピンを設けるとよい。前記ピンを前記本体に着脱可能に取り付けることで、ピンやピン孔が予め設置された墓石等だけでなく、停電などの緊急時やキャンプなどのアウトドアにおいて、樹木や地面等にピンを突き刺して本体を設置することが可能になり、本発明の灯明装置の設置範囲を拡大することができる。
より通常の蝋燭に近づけるために、前記本体を蝋燭形状に形成するとよい。また、前記本体の一端に設ける発光部を蝋燭の火焔状に形成してもよい。
また、蓄電池を乾電池と交換可能とすることで、蓄電池が消耗しても乾電池と交換することでさらに長時間に亘って発光部を点灯させることができる。
本発明の灯明装置は、例えば停電などの緊急時やキャンプなどのアウトドアにおいても利用可能で、蓄電池と乾電池を交換可能とすることで長時間に亘って灯明装置を使用することが可能である。
【発明を実施するための最良の形態】
【０００８】
以下、本発明の好適な一実施形態を、図面を参照しながら詳細に説明する。
図１は、墓前等に供えられる蝋燭形の灯明装置の一例を示す図である。
灯明装置１は、蝋燭形の本体１２の上端に火焔形の発光部１１を備えている。本体１２は蝋燭と同じ材料で形成してもよいし、樹脂や木材、金属で形成してもよい。火焔形の発光部１１は透光性又は半透光性の樹脂や和紙で形成され、電灯やＬＥＤなどの発光体（図示せず）を内蔵している。本体１２の下端には蝋燭立てなどの設置部材のピンが挿入できるピン孔１８が形成されていて、前記ピンをピン孔１８に差し込むことで、蝋燭と同じように灯明装置１を墓前等に供えることが可能になる。
【０００９】
灯明装置１の設置方法としては、墓石等の基台に予め設置されたピンに本体１２のピン孔１８を差し込んで設置する方法のほか、例えば図１（ｂ）に示すように、基台Ｂに軸孔Ｂａを形成し、軸部１９ｂと尖頭部１９ａとを備えるピン１９の軸部１９ｂを軸孔Ｂａに差し込んで基台Ｂにピン１９を設置し、尖頭部１９ａを本体１２のピン孔１８に差し込む方法、図１（ｃ）に示すように、図１（ｂ）のピン１９を逆さにしてピン孔１８に軸部１９ｂを着脱自在に差し込み、樹木や地面など尖頭部１９ａを突き刺すことのできる被設置部Ｃに突き刺して設置する方法などを挙げることができる。図１（ｃ）の方法によれば、例えば停電などの緊急時やキャンプなどのアウトドアにおいて本発明の灯明装置１の設置可能範囲が拡大し便利である。
【００１０】
前記発光体への電力は、本体１２に内蔵されたバッテリ１３から供給される。本体１２の下端側外周面には、その全周に亘って太陽電池２が取り付けられ、この太陽電池２によって起電された電力は本体１２に内蔵された充電回路１５によってバッテリ１３に充電される。そのため、本体１２に設けられたスイッチ１４をＯＮに切り換えることでバッテリ１３から前記発光体に電力が供給され、発光部１１が点灯する。なお、前記発光体を点灯させることができるのであれば、スイッチ１４の種類や形態は限定されない。
灯明装置１を例えば陽当たりのよい場所に設置することで、太陽電池２からバッテリ１３に充電が行われる。本体１２の全周囲に太陽電池２が設けられているので、本体１２をどのように前記設置部材に立てても、太陽電池２からはほぼ一定の起電力を得ることができる。
【００１１】
図２に本発明の第二の実施形態を示す。
この実施形態では、灯明装置１の設置部材である蝋燭立て３の受け皿３２の内側に反射部３３を形成している。蝋燭立て３は、例えば受け皿３２の底部に取り付けられた軸部３２を、墓石等の基台Ｂに形成された軸孔Ｂａに差し込むことで墓石等に設置される。反射部３３は受け皿３２の内面を鏡面仕上げしたり、受け皿３２の内面に光反射率の高い材料を貼り付けるなどしたもので、受け皿３２に照射された光の一部を太陽電池２に向けて反射する。
これにより、太陽電池２に照射される光の強度を高めることができるほか、本体１２の全周に亘って満遍なく光を照射することが可能になって、太陽電池２による起電力を向上させることができる。
なお、第一及び第二の実施形態において、バッテリ１３を乾電池と交換できるようにすることで、バッテリ１３が消耗しても乾電池と交換すれば発光部をさらに長時間点灯させることができる。本発明の灯明装置は、例えば停電などの緊急時やキャンプなどのアウトドアにおいても利用可能であるが、バッテリ１３と乾電池を交換できるようにすることで、このような状況下においてお長時間に亘って灯明装置を使用することが可能になある。
【００１２】
本発明の好適な実施形態を説明したが、本発明は上記の実施形態に限定されない。
例えば、上記の説明では灯明装置として蝋燭を例に挙げて説明したが、灯明装置は蝋燭に限らず他のものであってもよい。また、灯明装置１の本体１２は円筒形として説明したが、四角形や六角形など他の形状であってもよい。
また、発光部１１は本体１２の先端に限らず、途中部位に設けられていてもよく、その数も一つに限らず複数であってもよい。
【産業上の利用可能性】
【００１３】
本発明の灯明装置は、墓前等に供える蝋燭などの代替品として用いることができる他、停電などの緊急時やキャンプなどのアウトドアで灯火として利用することも可能である。
【図面の簡単な説明】
【００１４】
【図１】（ａ）は灯明装置の第一の実施形態にかかりその正面図、（ｂ）（ｃ）は灯明装置の設置例を示す部分図である。
【図２】灯明装置の第二の実施形態にかかり、受け皿部分を破断した正面図である。
【符号の説明】
【００１５】
１      灯明装置
１１    発光部
１２    本体
１３    バッテリ
１４    スイッチ
１５    充電回路
１８    ピン孔
１９    ピン
１９ａ  尖頭部
１９ｂ  軸部
２      太陽電池
３      蝋燭立て（設置部）
３２    本体
３３    反射体
【図１】
2017080340.tif 000003
【図２】
2017080340.tif 000004